(57)【要約】【課題】簡易な構成で患者の持参薬の鑑別結果を取得できるようにするための、薬剤鑑別システムを提供する。【解決手段】薬剤撮影装置１は、薬剤が載置される載置部１１と、携帯端末１６を設置可能な上方支持部１３とを有する。携帯端末１６は、前記載置部１１に載置された薬剤を撮影する撮影部１７を備える。撮影された画像データは、外部のサーバへ送信され、外部のサーバにおいて画像データ内の薬剤の鑑別処理を行うことができる。【選択図】図１
2020182525.tif 000002
【特許請求の範囲】
【請求項１】
薬剤が載置される載置部と、
前記載置部に載置された薬剤を撮影する撮影部を備えた携帯端末であって、撮影した画像データをサーバに送信する携帯端末を設置可能な第１支持部と、
を備えた薬剤撮影補助装置。
【請求項２】
前記載置部と前記第１支持部との間に設置された第１照明部をさらに備えた、請求項１に記載の薬剤撮影補助装置。
【請求項３】
前記第１支持部に設置した前記携帯端末からの撮影方向とは異なる方向から前記載置部に載置された薬剤の撮影が可能となる位置に、前記携帯端末を設置可能な第２支持部をさらに備えた、請求項１または２に記載の薬剤撮影補助装置。
【請求項４】
前記載置部と前記第２支持部との間に設置された第２照明部をさらに備えた、請求項３に記載の薬剤撮影補助装置。
【請求項５】
前記載置部は、前記薬剤を収容するシャーレ部を備える、請求項１〜４のいずれか一項に記載の薬剤撮影補助装置。
【請求項６】
前記シャーレ部の底面に凹凸形状の部材を備える、請求項５に記載の薬剤撮影補助装置。
【請求項７】
前記シャーレ部の蓋部であって、前記薬剤を前記シャーレ部の底面と当該蓋部との間で固定可能な蓋部をさらに備えた、請求項５または６に記載の薬剤撮影補助装置。
【請求項８】
薬剤が載置される載置部と、
前記載置部に載置された薬剤を撮影する撮影部と、
前記撮影部で撮影した画像データをサーバに送信する送信部と、
を備える薬剤撮影装置。
【請求項９】
前記載置部と前記撮影部の間に設置された照明部をさらに備える、請求項８に記載の薬剤撮影装置。
【請求項１０】
前記サーバから、前記画像データ中の薬剤の鑑別結果を受信する受信部と、
前記鑑別結果を表示する表示部とをさらに備える、請求項８または９に記載の薬剤撮影装置。
【請求項１１】
薬剤撮影装置と、前記薬剤撮影装置と通信可能なサーバとを備え、
前記薬剤撮影装置は、薬剤を載置する載置部と、薬剤を撮影する撮影部と、前記撮影部で撮影された薬剤の画像データを前記サーバに送信する送信部と、を有し、
前記サーバは、薬剤の画像データと薬剤情報とを対応付けた対応データを格納する格納部と、前記対応データに基づいて前記携帯端末から送信された画像データ中の薬剤の鑑別処理を行う鑑別処理部と、
を有する薬剤鑑別システム。
【請求項１２】
携帯端末により、薬剤撮影装置の載置部に載置された薬剤を撮影し、
前記携帯端末が、撮影した薬剤の画像データをサーバに送信し、
前記サーバが、薬剤の画像データと薬剤情報とを対応付けた対応データに基づいて、前記携帯端末から送信された画像データ中の薬剤の鑑別処理を行う、
薬剤鑑別方法。
【請求項１３】
患者情報をサーバに入力する入力工程と、
薬剤撮影装置の載置部に載置された薬剤を撮影し、薬剤の画像データと薬剤情報とを対応付けた対応データに基づいて、前記撮影した画像データ中の薬剤の鑑別を行う一次鑑別工程と、
前記一次鑑別工程で鑑別された鑑別結果を前記サーバに登録する登録工程と、
前記サーバが薬剤鑑別に対する資格を有する有資格者を認証する認証工程と、
前記サーバが、前記サーバに入力された前記患者情報と、前記サーバに登録された前記鑑別結果とに基づいて、前記認証工程において認証された有資格者に前記鑑別結果を確認させ、前記鑑別結果の確認結果をサーバに登録させる二次鑑別工程と、
を備え、
前記入力工程、前記一次鑑別工程及び前記登録工程は、薬剤鑑別に対する資格を有さない者によって行われる薬剤鑑別方法。
【発明の詳細な説明】
【技術分野】
【０００１】
本発明は、薬剤撮影補助装置、薬剤撮影装置、薬剤鑑別方法及び薬剤鑑別システムに関する。
【背景技術】
【０００２】
患者が医療機関で受診する場合において、その患者に対して他の医療機関で処方された薬がある場合には、医師はその薬が何であるかを把握しておく必要がある。そのため、患者は、他の医療機関で処方された薬に関する情報を医師に提示する必要がある。患者がお薬手帳を持参していれば、お薬手帳に記載された情報に基づいて薬を特定することは容易である。また、患者が薬を包装された状態で持参した場合も、包装に付されている情報（薬名や識別コード等）に基づき、薬を特定することができる。しかし、このような薬に関する情報がない場合、例えば患者が薬を裸の状態で持参するような場合には、薬の外観だけを手掛かりに薬の種類を特定する必要がある。このような作業は薬剤鑑別作業と呼ばれ、薬剤師等の有資格者によって行われる必要がある。薬剤鑑別作業は、薬剤の大きさ、形状、色等を手掛かりに、手作業で行われるのが一般的である。この薬剤鑑別作業において薬剤の種類を正確に素早く鑑別するために、画像処理機能を用いて薬剤を自動で鑑別するシステムが提案されている（例えば、特許文献１参照）。
【先行技術文献】
【特許文献】
【０００３】
【特許文献１】国際公開第２０１５／１５２２２５号
【発明の概要】
【発明が解決しようとする課題】
【０００４】
しかし、例えば特許文献１において開示されている従来の持参薬鑑別装置は、多数の薬剤の鑑別を行うシステムであるため、一般的に高価でかつ装置の大きさも比較的大きなものとなり、一つの医療機関に何台も設置するのは難しい。また、従来の持参薬鑑別装置は、一般的に装置として物理的に大きく、また重量も重い。そのため、従来の持参薬鑑別装置を移動させて利用するのは難しく、通常は患者の持参薬を、特定の場所に設置されている持参薬鑑別装置まで運んで鑑別し、鑑別報告書を作成する必要がある。また鑑別作業は薬剤師等の有資格者によって行われる必要があり、従来の持参薬鑑別装置を用いる場合には、薬剤の撮影等の作業を行う必要があるため、有資格者の作業負担が増大する。
【０００５】
本発明は、より簡易な構成で薬剤の鑑別処理を可能とするための、薬剤撮影補助装置、薬剤撮影装置、薬剤鑑別方法及び薬剤鑑別システム等を提供することを目的とする。
【課題を解決するための手段】
【０００６】
上記の目的を達成するために、本発明の第１の側面に係る薬剤撮影補助装置は、
薬剤が載置される載置部と、
前記載置部に載置された薬剤を撮影する撮影部を備えた携帯端末であって、撮影した画像データをサーバに送信する携帯端末を設置可能な第１支持部とを備える。
【発明の効果】
【０００７】
本発明によれば、より簡易な構成で各患者の持参薬の鑑別処理を可能とするための、薬剤撮影補助装置等を提供することができる。
【図面の簡単な説明】
【０００８】
【図１】本発明の第１の実施形態に係る薬剤鑑別システムの概略構成を示す図である。
【図２】本発明の第１の実施形態に係る薬剤撮影装置を上方から平面視した場合の例を示す図である。
【図３】薬剤撮影装置の断面図の一例を示す図である。
【図４】薬剤撮影装置の断面図の一例を示す図である。
【図５】薬剤撮影装置の上方に携帯端末を設置した場合の断面図の一例を示す図である。
【図６】薬剤撮影装置の上方に携帯端末を設置した場合の断面図の一例を示す図である。
【図７】薬剤撮影装置の下方に携帯端末を設置した場合の断面図の一例を示す図である。
【図８Ａ】載置部を上方から平面視した場合の一例を示す図である。
【図８Ｂ】載置部の断面図の一例を示す図である。
【図９Ａ】載置部のトレイ部を上方から平面視した場合の一例を示す図である。
【図９Ｂ】載置部を上方から平面した場合の一例を示す図である。
【図９Ｃ】載置部の断面図の一例を示す図である。
【図１０】薬剤撮影装置の断面図の一例を示す図である。
【図１１Ａ】蓋部及び取手部を備えた載置部を上方から平面視した場合の一例を示す図である。
【図１１Ｂ】蓋部及び取手部を備えた載置部の断面図の一例を示す図である。
【図１２Ａ】薬剤を載置した載置部を上方から平面視した図である。
【図１２Ｂ】薬剤を載置した載置部を下方から平面視した図である。
【図１３】ドーム形状の照明部を備える薬剤撮影装置の断面図を示す図である。
【図１４】載置部に設置する凹凸シートの一例を示す図である。
【図１５】携帯端末のハードウェア構成の一例を示す図である。
【図１６】薬剤撮影装置における処理フローの一例を示す図である。
【図１７】鑑別結果の一例を示す図である。
【図１８】本発明の実施形態における薬剤鑑別システムとオペレータ、有資格者の作業分担を説明するための図である。
【図１９】サーバにおける薬剤鑑別処理フローの一例を示す図である。
【図２０】薬剤鑑別の詳細フローの一例を示す図である。
【図２１】薬剤鑑別業務フローの一例を示す図である。
【図２２】鑑別処理を実施する鑑別ウィンドウの例を示す図である。
【図２３】本発明の第２の実施形態に係る薬剤鑑別システムを示す図である。
【図２４Ａ】本発明の第２の実施形態に係る薬剤撮影装置を上方から平面視した場合の図である。
【図２４Ｂ】本発明の第２の実施形態に係る薬剤撮影装置の断面図を示す図である。
【発明を実施するための形態】
【０００９】
以下、図面を参照し、本発明の実施の形態を詳しく説明する。図中同一または相当部分には同一符号を付してその説明は繰り返さない。
【００１０】
［第１の実施形態］
図１は、本発明の第１の実施形態に係る薬剤鑑別システム１００の概略構成を示す図である。薬剤鑑別システム１００は、少なくとも１つの薬剤撮影装置１とサーバ２とを備える。薬剤撮影装置１は、ネットワーク３を介してサーバ２と通信可能である。薬剤鑑別システム１００において、薬剤撮影装置１で撮影した薬剤の画像データは、薬剤撮影装置１からネットワーク３を通じてサーバ２に送信される。サーバ２は、薬剤撮影装置１から送信された画像データに基づいて薬剤の鑑別を行う。鑑別結果は、サーバ２からネットワーク３を通じて薬剤撮影装置１に送信される。
【００１１】
＜薬剤撮影装置の機能及び構成＞
図２は、図１に示す薬剤撮影装置１の平面図である。図３及び図４は、図２に示す一点鎖線Ｉ及びＩＩにおける薬剤撮影装置１の断面図である。図２に示すように、薬剤撮影装置１は、薬剤を載置する透明な載置部１１と、上方照明部１２と、上方支持部１３とを備えている。載置部１１は、後に詳しく説明するが、薬剤撮影装置１に対して抜き差しが可能に構成されている。上方支持部１３は、薬剤を撮影するための携帯端末を、載置部１１の上方において支持する機構である。上方照明部１２は、載置部１１を上方から照明する。携帯端末は、上方支持部１３により支持された状態で、載置部１１に載置された薬剤を上方から撮影することができる。携帯端末の詳細については後述する。
【００１２】
図３及び図４に示すように、薬剤撮影装置１は、下方照明部１４及び下方支持部１５をさらに備えている。下方支持部１５は、載置部１１の下方において携帯端末を固定する機構である。下方照明部１４は、載置部１１に載置された薬剤を下方から照明する。携帯端末は、下方支持部１５により支持された状態で、載置部１１に載置された薬剤を下方から撮影することができる。
【００１３】
上方支持部１３に携帯端末１６を設置した状態をそれぞれ図５及び図６に示す。携帯端末１６は、携帯端末１６は、画像を撮影する機能と、撮影した画像をサーバ２へ送信する機能とを備えていれば、任意の携帯型端末で構成できる。例えばスマートフォンを、携帯端末１６として用いることができる。図５及び図６において、参照符号１７は、携帯端末１６のカメラを示す。上方支持部１３は、図２に示すように、薬剤撮影装置１の平面視において、互いに対向する一対の長辺のそれぞれに沿って（すなわちＸ方向に沿って）設けられている。上方支持部１３は、図４に示すように、薬剤撮影装置１の側壁の内面から突出するように形成されている。薬剤撮影装置１は、図２及び図３に示すように、平面視において短辺側の側面の一方（すなわちＸ方向正側の側面）が開口するよう構成されている。したがって、図５においてＸ方向正側から負側へ向けて携帯端末１６を差し込むことにより、携帯端末１６を上方支持部１３上に設置することができる（図６参照）。
【００１４】
下方支持部１５も、上方支持部１３と同様に、薬剤撮影装置１の平面視において、互いに対向する一対の長辺に沿って設けられている。下方支持部１５も、図５に示すように、薬剤撮影装置１の側壁の内面から突出するように形成されている。下方支持部１５の下側に携帯端末１６を差し込むことにより、図７に示すように、携帯端末１６を載置部１１の下方に固定することができる。なお、この場合は、携帯端末１６のカメラ１７が上向きになるようにする。
【００１５】
すなわち、薬剤撮影装置１を操作する作業者は、載置部１１の上方及び下方から、携帯端末１６を用いて、載置部１１に載置された薬剤の表面及び裏面を撮影することができる。例えば、まず、上方支持部１３に設置した携帯端末１６により載置部１１の上方から薬剤の表面を撮影する。次に、携帯端末１６を薬剤撮影装置１から抜き取り、携帯端末１６を上下反転させて下方支持部１５に差し込み、載置部１１の下方から薬剤の裏面を撮影する。なお、薬剤撮影装置１に携帯端末１６を差し込むための開口部は、薬剤撮影装置１の平面視における長辺側（すなわちＹ方向において対向する側面の一方）にあっても良い。あるいは、上方支持部１３の上部にカバーがない構成とし、載置部１１に載置された薬剤を上方から撮影する際に、携帯端末１６を上から上方支持部１３に設置する方法でもよい。また、薬剤撮影装置１の底面がない構成とし、載置部１１に載置された薬剤を下方から撮影する際に、携帯端末１６に薬剤撮影装置１を上から被せる形で設置する方法でもよい。
【００１６】
携帯端末１６は、端末に設けられた操作ボタンを操作することによってカメラ１７が画像を撮影する構成であってもよいし、あるいは、リモートコントローラによって撮影を行う構成であってもよい。
【００１７】
薬剤撮影装置１は、さらに、図３及び図４等に示すように、載置部１１の抜き差しをガイドするためのレール部２３を備えている。図８Ａ及び図８Ｂに示すように、載置部１１は、トレイ部１１１とシャーレ部１１２とを有する。トレイ部１１１は、透明な板状部材である。シャーレ部１１２は、例えば透明な筒状の部材であり、トレイ部１１１の表面に固定されている。トレイ部１１１上のシャーレ部１１２の位置および底面積は、シャーレ部１１２の底面の全体がカメラ１７の撮影範囲内に入るように設定されている。これにより、シャーレ部１１２に投入された薬剤をカメラ１７で確実に撮影することができる。なお、本実施例において、載置部１１は、平板状のトレイ部１１１にシャーレ部１１２を搭載する構成としているが、この載置部１１の構成は本発明を限定するものではない。例えば図９Ａないし図９Ｃに示すように、孔１１４を有するトレイ部１１３にシャーレ部１１２を嵌め込んだ構成を用いることも可能である。
【００１８】
図３及び図４に示すように、レール部２３は、上下一対のレールを有する。載置部１１は、この一対のレール間にトレイ部１１１の端部が挟み込まれた状態でＸ方向前後にスライドさせることにより、薬剤撮影装置１に対して抜き差しすることができる。
【００１９】
また、図１０に示すように、薬剤を固定するための蓋部１８をさらに備えた構成とすることも可能である。図１１Ａ及び図１１Ｂに、蓋部１８を有する載置部１１の例を示す。この例では、図１１Ｂに示すように、シャーレ部１１２の側面の内側にらせん状の溝部２０が設けられている。蓋部１８は、平坦な円板状に構成されており、円板の端部が溝部２０に嵌合する。蓋部１８には、取手部１９が設けられている。蓋部１８をシャーレ部１１２の上面に嵌め込み、取手部１９を操作して蓋部１８を回転させることにより、蓋部１８をシャーレ部１１２にねじ込むことができる。シャーレ部１１２内の薬剤の表面に接するまで蓋部１８をねじ込むことにより、薬剤が、蓋部１８とシャーレ部１１２の底面との間で固定される。これにより、撮影時や、携帯端末１６の抜き差しの際の薬剤の位置ずれを防ぐことができ、より正確な画像が取得可能となる。なお、蓋部１８及び取手部１９は、トレイ部１１１やシャーレ部１１２と同様に透明部材で形成される。また、蓋部１８は薬剤の破損を防ぐため、熱可塑性ポリウレタン（ＴＰＵ）樹脂等の柔らかい素材で構成することが望ましい。
【００２０】
図１２Ａ及び図１２Ｂは、載置部１１に薬剤を載置して上方及び下方から平面視した状態をそれぞれ示す。載置部１１に透明の部材を用いることで、上方及び下方の両方から撮影した薬剤の鮮明な画像データが取得できる。
【００２１】
次に上方照明部１２及び下方照明部１４について説明する。上方照明部１２は、携帯端末１６を載置部１１の上方に設置し、上方から薬剤を撮影する際に用いられる。一方、下方照明部１４は、携帯端末１６を載置部１１の下方に設置し、下方から薬剤を撮影する際に用いられる。上方照明部１２及び下方照明部１４は、図４に示すように、薬剤撮影装置１の、Ｙ方向において対向する一対の側面の内側に固定されている。
【００２２】
上方照明部１２及び下方照明部１４としては、例えば薬剤撮影の際にハレーション（照明の映り込み）が発生しにくい拡散照明が用いられる。上方照明部１２及び下方照明部１４として、例えばリング状の照明を用いることができる。この場合、薬剤を全方位から照らすことができ、薬剤の鮮明な画像が取得できる。なお、上方照明部１２及び下方照明部１４の形状は本発明の内容を限定するものではない。例えば、四角等の多角形の照明を用いることも可能である。あるいは、線状光源または点状光源を複数用いる構成でもよい。また、図１３に示すように、上方照明部２１及び下方照明部２２としてドーム形状の照明装置を用いることができる。ドーム形状の照明装置とは、ドーム型の反射板を備え、照明対象である薬剤に対して全方向から均一な光が照射できる照明装置である。具体的には、図１３に示す上方照明部２１の円形リング照明から上向きに光が照射され、上方反射部２１ａ内で反射した反射光が、照明対象に照射される。下方照明部２２の場合も同様に、下方照明部２２の円形リング照明から下向きに光が照射され、下方反射部２２ａ内で反射した反射光が、照明対象に照射される。また、ドーム形状の照明装置は、ドーム部分に光源が均一に配置された構成（図示なし）であっても良い。ドーム形状の照明を用いることで、撮影対象の薬剤に対し、全方向の均一な照射が可能となる。
【００２３】
本発明の実施形態に係る薬剤撮影装置１を用いることで、載置部１１に載置された薬剤の位置を変えることなく、上方向及び下方向から載置部１１に載置された薬剤の表面及び裏面を撮影することができ、薬剤の鑑別に必要な画像データの取得が可能となる。
【００２４】
また、載置部１１のシャーレ部１１２の底面に図１４に示すような凹凸シート２３を設置することができる。ただし、この凹凸シート２３は、本発明の実施形態において必須ではなく、また、本発明の実施形態を限定するものでもない。薬剤が転がり易い形状の場合や、薬剤の裏表の撮影をするに際し載置部１１を抜き差しする場合において、薬剤の位置ずれを防ぐために凹凸シート２３を設けることが好ましい。例えば、複数の薬剤を撮影する際において、携帯端末１６の抜き差し等により発生する薬剤撮影装置１の振動による薬剤の位置ずれを防ぎ、表面及び裏面の薬剤の画像の対応づけがより正確に行えるようになる。また、この凹凸シート２３の形状は、例えば、図１４に示すようなハニカム状（ハチの巣形状）とすることができるが、この凹凸シート２３の形状は、本発明の実施を限定するものではない。例えば、三角形、四角形（格子状）、その他の多角形や円形状の凹凸シートを設置するのでもよい。凹凸シート２３は、透明であっても良いが、薬剤の色と識別するために黒色等の有色のシートを用いてもよい。さらに、凹凸シート２３は薬剤の破損を防ぐため、ゴム等の柔らかい素材で形成されるのが望ましい。ただし、凹凸シート２３の素材は本発明の実施形態を限定するものではなく、硬い素材で形成した凹凸シート２３を用いることも可能である。
【００２５】
薬剤は表面と裏面とで刻印や印字される内容が異なり、薬剤の表面と裏面の情報が異なることが多い。そのため、薬剤の表面及び裏面の情報を正確に取得することで、薬剤の種別をより正確に特定することができるようになる。この薬剤の表面及び裏面の情報を正確に取得する方法としては、上述の通り、携帯端末１６により、薬剤を上方及び下方から撮影する方法がある。また、薬剤の表面及び裏面の画像データ取得の別の手段として、携帯端末１６を上部又は下部で固定し、薬剤の表裏を入れ替えて薬剤の表面及び裏面を撮影する手段を用いることも可能である。この場合は、薬剤の表面を撮影した後、載置部１１を薬剤撮影装置１から抜き取り、シャーレ部１１２内で薬剤の表裏を入れ替えてから、載置部１１を再び薬剤撮影装置１に差し込み、携帯端末１６にて薬剤の裏面を撮影する。薬剤の表と裏を入れ替える際、薬剤の位置が変わると薬剤の表面の画像と裏面の画像の対応が取れなくなるため、同じ位置で薬剤を裏返す必要がある。このため、例えば図１４に示したような凹凸シート２３を用いることにより、薬剤の位置が大きくは変わらずに撮影することが可能となる。また、薬剤が円筒形状のカプセル剤のような場合は、カプセル剤がシャーレ上で転がり易いため、シャーレの底面に波板形状の凹凸シート（図示なし）を設置し、その上にカプセル剤を置くことで、カプセル剤の向きが変わらずに撮影することができる。さらに上記波板形状の凹凸シートに仕切りを設けることでカプセル剤の長手方向のずれを防ぐことが可能となる。
【００２６】
＜携帯端末の機能及び構成＞
次に、携帯端末１６の機能及び構成について説明する。携帯端末１６は、少なくとも撮影機能、データ送信機能、データ受信機能を有する。例えば、携帯端末１６は、カメラ機能を有する携帯電話機、スマートフォン及びＰＤＡ（Personal Digital Assistant, Personal Data Assistant）のような携帯情報端末を用いることができる。図１５に携帯端末１６のハードウェアの構成の一例を示す。
【００２７】
図１５に示すように、携帯端末１６は、制御部１６１、メモリ１６２、カメラインタフェース（Ｉ／Ｆ）１６３、ネットワークＩ／Ｆ１６４、入力部１６５、および表示部１６６を有する。
【００２８】
制御部１６１は、例えば、オペレーティングシステムを動作させて携帯端末１６全体を制御する。制御部１６１は、メモリ１６２に格納されたプログラムに基づいて動作し、各部の制御を行う。
【００２９】
メモリ１６２は、読み取り可能な記憶媒体であり、例えば、ＲＯＭ（Read Only Memory）、ＥＰＲＯＭ（Erasable Programmable ROM）、ＥＥＰＲＯＭ（Electrically Erasable Programmable ROM）、ＲＡＭ（Random Access Memory）などで構成される。メモリ１６２には、例えば、制御部１６１が各部を制御するためのプログラム等が格納されている。
【００３０】
カメラＩ／Ｆ１６３は、携帯端末１６に搭載されたカメラ１７によって撮影された画像データを携帯端末１６に取り込むためのインタフェースである。取り込まれた画像データは、制御部１６１等によって適切なデータ形式に加工され、ネットワークＩ／Ｆ１６４を通じて、サーバ２に送信される。
【００３１】
ネットワークＩ／Ｆ１６４は、有線及び／又は無線ネットワークを介して薬剤撮影装置１とサーバ２との通信を行うためのインタフェース部である。
【００３２】
入力部１６５は、外部からの入力を受ける入力デバイスであり、例えば、タッチパネルやタッチペン、ボタンキー、キーボード、マウスなどである。
【００３３】
表示部１６６は、例えば液晶ディスプレイ等の表示デバイスであり、制御部１６１からの制御により、表示デバイス上に例えば、文字、画像、カメラＩ／Ｆ１６３から取り込まれた画像データ等を表示する。本発明の実施形態においては、サーバ２から送信されてきた薬剤鑑別結果を表示する。
【００３４】
＜サーバの機能及び構成＞
次に、本発明の実施形態に係るサーバ２の機能と構成について説明する。図１に示す薬剤鑑別システム１００は、ネットワーク３を通じて、薬剤撮影装置１から、当該薬剤撮影装置１において撮影された薬剤の画像データがサーバ２へ送信される。サーバ２は、あらかじめ薬剤の画像データと薬剤情報とを対応付けた対応データを格納する格納部４にアクセス可能である。サーバ２は、薬剤撮影装置１から送信されてきた画像データを受信し、格納部４に格納された対応データに基づいて薬剤の鑑別を行う。
【００３５】
ここで、格納部４に格納された画像データと薬剤情報とを対応付けた対応データは、あらかじめ薬剤の画像データと薬剤情報との対応関係を学習させた学習済モデルを用いることが可能である。この学習済モデルを用いることで、より精度の高い照合処理が可能となる。
【００３６】
学習済モデルは、ニューラルネットワークモデルを用いて生成することが可能であり、ニューラルネットワークモデルには、ディープニューラルネットワーク（ＤＮＮ）、畳み込みニューラルネットワーク（ＣＮＮ）、または再帰型ニューラルネットワーク（ＲＮＮ）等が適用できるが、このニューラルネットワークモデルの種類は本発明を限定するものではない。
【００３７】
次に、サーバ２での薬剤の画像データの鑑別結果を用いて、有資格者により鑑別の確認が行われる。鑑別処理の詳細については後述する。
【００３８】
さらに、サーバ２は、有資格者により行われた確認結果を、画像データを送信してきた薬剤撮影装置１に返信する。
【００３９】
＜薬剤鑑別処理＞
次に、本発明の実施形態における薬剤鑑別の処理について説明する。図１６は、薬剤撮影装置１における処理フローを示す図である。なお、薬剤撮影装置１の操作は、薬剤の鑑別処理を直接的に行うものではないため、有資格者でない者によっても行うことが可能である。ここで有資格者でない者（非薬剤師）は、例えば調剤事務員や薬剤テクニシャンである。まず、ステップＳ１０１において、薬剤撮影装置１は、入力部１６５において患者情報の入力を受け付ける。次に、ステップＳ１０２において、薬剤撮影装置１は、携帯端末１６によって、載置部１１に載置された薬剤の撮影を行う。携帯端末１６は、載置部１１に載置された薬剤の表面及び裏面の撮影を行う。撮影後、薬剤撮影装置１は、薬剤の画像データを、サーバ２へ送信する（ステップＳ１０３）。その後、薬剤撮影装置１は、サーバ２から鑑別結果が送信されてくるのを待つ（ステップＳ１０４）。薬剤撮影装置１は、サーバ２から鑑別結果を受信すると、受信した鑑別結果を表示部１６６に表示する（ステップＳ１０５）。図１７に、ステップＳ１０５において表示される鑑別結果の例を示す。
【００４０】
図１８に、薬剤鑑別システム１００の使用形態の一例を示す。端末オペレータ５は、それぞれの薬剤撮影装置１を操作する。端末オペレータ５は、前述のように、薬剤師等の資格を必要としない。一方、有資格者６は、薬剤鑑別に必要な薬剤師等の資格を有する者である。なお、図１８の例では、サーバ２の近傍に有資格者６が居るように図示されている。しかし、有資格者６は、サーバ２からの出力を見られる場所であれば、サーバ２の近傍に限らず、任意の場所で鑑別作業を行うことができる。例えば、サーバ２からの出力を、ネットワーク３を介して、有資格者６が操作可能な端末に送信するように構成しても良い。
【００４１】
薬剤鑑別システム１００においては、端末オペレータ５は、薬剤撮影装置１を用いて、薬剤画像の撮影および撮影画像の送信と、鑑別結果の受信のみを行う。つまり、端末オペレータ５は、実際の鑑別作業を行わない。従って、端末オペレータ５は薬剤師等の有資格者でなくても良いので、従来の薬剤鑑別装置と比べて有資格者の作業負担を軽減することができる。なお、図１６に示す薬剤撮影装置１における処理フローは、図１８に示す端末オペレータ５が、携帯端末１６の撮影、画像データ送信、及び鑑別結果受信、の各機能を個別に操作し実行する実施形態でもよい。あるいは、携帯端末１６で動作する専用のアプリケーションプログラム等によって、一連の動作が自動的に制御されるように構成しても良い。この場合、端末オペレータ５は、載置部１１への薬剤の載置や、携帯端末１６や載置部１１の抜き差し等を、アプリケーションプログラムからの指示にしたがって行うだけでよい。
【００４２】
図１９は、サーバ２における薬剤の鑑別処理の処理フローの例を示す。まず、サーバ２は、サーバ２へのアクセス権を持つ者（鑑別処理を行う者）によるログインを受け付ける（ステップＳ２０１）。その後、サーバ２は、薬剤撮影装置１から、画像データが送信されてくるのを待つ（ステップＳ２０２）。サーバ２は、画像データを受信すると、鑑別処理を行う（ステップＳ２０３）。この鑑別処理は、格納部４の対応情報を参照することにより、画像データ内の薬剤に対応する薬剤情報を特定する。なお、サーバ２は、薬剤撮影装置１から送信されてくる画像データを一時的に保持するバッファを有し、薬剤撮影装置１からサーバ２に送信されてきた順に、画像データに対する鑑別処理を行う。
【００４３】
図２０は、サーバ２における薬剤鑑別処理の詳細の例を示す。図２０の処理は、サーバ２のプロセッサが所定のプログラムに基づいて動作することによって、実行される。まず、サーバ２は、受信した画像データの画像補正を行う（ステップＳ３０１）。具体的には、薬剤の表面画像と裏面画像の座標軸を合わせる処理を行う。次に、サーバ２は、薬剤の表面画像と裏面画像とのそれぞれから、薬剤領域抽出を行う（ステップＳ３０２）。具体的には、各画素の明るさを、閾値で２値化して、閾値未満を背景領域、閾値以上を薬剤領域とし、閾値以上の領域を分離することにより、薬剤領域を抽出する。その後、サーバ２は、表面画像と裏面画像との間で、領域の対応づけを行う（ステップＳ３０３）。具体的には、サーバ２は、表面画像においてある１つの薬剤が占有する薬剤領域と、裏面画像においてこの薬剤が占有する薬剤領域とを対応づける。最後に、サーバ２は、上述の処理を行った画像データと格納部４の対応データとの間でテンプレートマッチング（パターンマッチング）を行い、薬剤の鑑別を行う（ステップＳ３０４）。すなわち、格納部４には、対応データとして、様々な薬剤について、表面画像および裏面画像、並びに当該薬剤の薬剤情報（識別記号や薬品名等）が対応付けて格納されている。サーバ２は、このマッチングで検出された薬剤情報を、後述の鑑別ウィンドウに表示する。ここで、マッチングの結果が一意に定まらない場合は、マッチングの確度（蓋然性）が高い薬剤情報を複数表示する。この際に、マッチングの確度を表す数値と共に、薬剤情報を表示してもよい。
【００４４】
図２２に、サーバ２の鑑別ウィンドウに示される鑑別結果の一例を示す。なお、図２２に示す鑑別ウィンドウ２００は、鑑別結果を表示するための領域２０４・２０５に加えて、鑑別対象の薬剤を撮影画像内で特定するための領域２０１〜２０３も有している。領域２０３には、例えば上方から撮影した画像が表示される。有資格者６は、入力デバイスを用いて、領域２０３において、画像内の薬剤のいずれかを選択することができる。薬剤のいずれかが選択されると、領域２０１には、選択された薬剤の表面画像が表示される。領域２０２には、選択された薬剤の裏面画像が表示される。領域２０４には、上記のステップＳ３０４の処理の結果（候補薬品リスト）として、マッチングで検出された１つまたは複数の薬剤情報が表示される。例えば、候補薬品リストには、格納部４に登録された薬剤の画像、識別記号及び薬品名等が表示される。この候補薬品リストにおいては、例えば、上から下に向かって、鑑別結果として正しい可能性の高い薬剤から低い薬剤の順にソートされて表示される。領域２０５には、有資格者６が候補薬品リストに表示された薬剤の中から選択した薬剤が表示される。領域２０５には、領域２０４に表示される項目と同様に、薬剤の画像、識別記号及び薬品名が表示され、さらに対象となる薬剤の個数も表示される。なお、領域２０４の候補薬品リストからの選択までの処理を資格のない者（作業補助者）が行い、領域２０５に表示された薬剤情報の確認処理のみを有資格者６が行うようにしてもよい。
【００４５】
有資格者によって確認処理が行われた後、サーバ２は、鑑別処理結果を、画像データが送信されてきた薬剤撮影装置１へ送信する（ステップＳ２０４）。サーバ２は、最後に鑑別処理の終了判定を行い（ステップＳ２０５）、鑑別を継続する場合は、ステップＳ２０２に戻り、画像データが送信されてくるのを待つ。鑑別終了の場合は、有資格者６がログアウトする（ステップＳ２０６）ことにより、サーバ２の処理が終了する。
【００４６】
上述のように、サーバ２は、薬剤撮影装置１から送られてくる画像データに基づいて自動で候補薬品リストを抽出する。その候補薬品リストから、有資格者６または作業補助者が該当薬剤を選択し、最後に有資格者６が鑑別結果を確認する。これにより、有資格者による鑑別作業の負担が軽減される。
【００４７】
サーバ２での鑑別処理の結果に基づいて、例えば有資格者により鑑別報告書を作成してもよい。この際、有資格者としてのコメント等も報告書に組み込むことができる。また、患者の持参薬の薬歴を作成する場合には、鑑別された薬剤情報を患者の薬歴に追記する。もしくは、薬歴が無い新規患者の場合は薬歴があらたに作成される。さらに、鑑別結果に基づいて、薬剤を再分包する場合には、鑑別結果を患者情報とともに調剤機器（図示しない）に送付し、調剤機器において薬剤の分包が行われる。具体的には、鑑別結果に基づいて医師が判断及び処方した情報を、調剤機器に送信又は調剤機器に直接入力し、処方情報が入力された調剤機器（分包機）によって薬剤の分包が行われる。また、患者が持参した元の分包形態に戻すような場合においても同様に、元の処方情報を調剤機器（分包機）に送信又は調剤機器に直接入力し、処方情報が入力された調剤機器（分包機）によって薬剤の分包が行われる。
【００４８】
サーバ２における鑑別処理では、鑑別対象の薬剤に対する候補薬品リストが抽出されるため、その候補薬品リストから対象薬剤を選択することは、単に薬剤の画像から薬剤を特定するのに比べ容易であり、鑑別の資格を有さない作業補助者でも可能となる。従って、例えば薬剤撮影装置１及びサーバ２の操作を薬剤鑑別の資格を有さない作業補助者が行ってもよい。この場合、この作業補助者が作成した鑑別報告書を、鑑別の資格を有する薬剤師等が確認する。そして、結果に対して問題がなければ、作業補助者が鑑別結果の印刷や、調剤機器への送付を行う作業形態をとることも可能である。この作業形態をとることで、薬剤師等の作業負担がさらに軽減できる。
【００４９】
図２１に薬剤鑑別システム１００を用いた薬剤鑑別業務フローの一例を示す。図２１に示す持参薬鑑別業務フローは、ステップＳ４０１からステップＳ４０６までの一次鑑別を鑑別の資格を有さない作業補助者が行い、ステップＳ４０７からステップＳ４１４までの二次鑑別を鑑別の資格を有する薬剤師等が行う場合の鑑別業務フローを示す図である。
【００５０】
まず、作業補助者が薬剤鑑別システム１００にログインする（ステップＳ４０１）。例えば図１８に示す薬剤鑑別システム１００においては、薬剤鑑別装置１にログイン機能を設けてもよく、あるいはサーバ２においてログイン機能を設ける形態でもよい。次にステップＳ４０２において情報入力を行う。ここで入力する情報は、例えば患者情報、薬剤情報、お薬手帳のコード情報、その他薬剤に関する用法や服用開始時期、終了時期、残量などである。情報入力後、実薬確認（ステップＳ４０３）を実施する。ここで実施される実薬確認は、図１８に示す薬剤鑑別装置１及びサーバ２を用いて上述の図１６、図１９及び図２０に示すフローの内容が実施される。実薬確認（ステップＳ４０３）の実施の結果、作業補助者は例えば図１７に示す鑑別結果を取得する。この実薬確認の結果を踏まえ、作業補助者は薬剤の重複の整理や用法、用量或いは、薬効別に分類する等の整理を行い（ステップＳ４０４）、鑑別結果を薬剤鑑別システム１００に登録する（ステップＳ４０５）。最後に薬剤鑑別システム１００からログアウトを行い（ステップＳ４０６）、一次鑑別が終了する。
【００５１】
次に、資格を有する薬剤師等の二次鑑別者による二次鑑別について説明する。まずステップＳ４０７にて二次鑑別者が薬剤鑑別システム１００にログインする。ここで、二次鑑別におけるログイン（ステップＳ４０７）は、上述の作業補助者によるログイン（ステップＳ４０１）とは異なるものであり、二次鑑別の処理に対して二次鑑別者の特権を持った者のみがログインできるものである。すなわち、ログインしようとしている者が二次鑑別の資格を有する者か否かの認証を行い、ステップＳ４０７にてログインしようとする者が二次鑑別の資格を有する者であると確認できた場合にログインできるものとする。ここでログイン（ステップＳ４０７）における認証は、例えば、あらかじめサーバ２に登録された二次鑑別の資格を有する者のリストを照合することで行われる。次にステップＳ４０８において患者情報の確認を行う。ここで確認する患者情報は、例えばステップＳ４０２において作業補助者が入力した情報である。
【００５２】
その後、ステップＳ４０９において薬品確認を行う。薬品確認は、ステップＳ４０５で登録された鑑別データ、患者情報、薬剤情報及び薬剤画像などを用いて二次鑑別者が一次鑑別の結果である薬品名、用法、用量、その他入力された情報等のチェックを行い、正しく鑑別が実行されていることを確認できた場合は、薬品確認の結果をサーバ２に登録する。この時、作業補助者により撮影された薬剤の画像と、作業補助者による一次鑑別において特定された薬剤の画像と、その薬剤に関する医薬品情報とを、薬品確認用の画面として一つの画面に表示し、二次鑑別者による薬品確認をしやすくしてもよい。更に、鑑別した医薬品の副作用等をチェックした結果や、鑑別した医薬品の同効薬を表示してもよい。これにより、例えば、患者が持参した医薬品と同じ種類のものが持参した病院にはない場合に、持参した医薬品と同じ効能を有する薬剤を検索して表示することで、医師に対して医薬品の処方の支援をすることができる。
【００５３】
この薬品確認（ステップＳ４０９）の結果を踏まえ、医師への照会等に基づく持参薬の中止や変薬が必要になった場合の中止薬、代替薬検討（ステップＳ４１０）を行う。さらに、鑑別結果に基づいて、上述の報告書作成（ステップＳ４１１）、薬歴作成（ステップＳ４１２）及び調剤用データ作成（ステップＳ４１３）を行う。最後にログアウト（ステップＳ４１４）を行い、二次鑑別を終了する。
【００５４】
このように、図２１に示す薬剤鑑別業務フローは、患者情報及び薬剤情報の入力、実薬確認、データの整理、及び鑑別結果の登録等の一次鑑別を鑑別の資格を有さない作業補助者が実施し、その鑑別結果の確認や報告書の作成、再分包等の指示は、資格を有する薬剤師等のみが薬剤鑑別システムにログインして行えるというものである。従って、作業について資格が必要な作業と資格が必要でない作業とに明確に分担することが可能となり、薬剤師等の作業負担が軽減できるとともに、鑑別結果の確認等の作業についての信頼性を高めることができる。
【００５５】
［第２の実施形態］
第１の実施形態では、薬剤撮影装置１においてスマートフォン等の携帯端末１６を用いて薬剤を撮影し、撮影した薬剤の画像データをサーバ２に送信し、サーバ２で行った薬剤鑑別結果を受信する形態を例示した。しかし、薬剤撮影装置を、撮影、送信及び受信機能を内蔵した専用の装置とした形態でもよい。以下、この発明の第２の実施形態にかかる薬剤撮影装置について、第１の実施形態と異なる構成について説明する。第１の実施形態と同様の機能および構成を有する部材については、第１の実施形態と同じ参照符号を付記し、詳細な説明を省略する。
【００５６】
図２３は、本発明の第２の実施形態に係る薬剤鑑別システム３００の概略構成を示す。薬剤鑑別システム３００は、第１の実施形態の薬剤撮影装置１の代わりに、少なくとも１つの薬剤撮影装置７を備える。
【００５７】
図２４Ａは、薬剤撮影装置７の平面図である。また、図２４Ｂは、図２４Ａの一点鎖線VIにおける薬剤撮影装置７の断面図を示す。図２４Ａ及び図２４Ｂに示す通り、薬剤撮影装置７は、載置部１１、上方照明部１２、カメラ（撮影部）７３、及び表示部７４を備える。また、図２４Ａ及び図２４Ｂには表れていないが、薬剤撮影装置７は、サーバ２との送受信を行う通信部を備えている。すなわち、薬剤撮影装置７は、第１の実施形態において携帯端末１６が備えていたカメラ１７を代替するカメラ７３を備えている。また、薬剤撮影装置７は、第１の実施形態においては携帯端末１６に設けられていた各種の機能ブロック（図１５参照）を、内蔵している。
【００５８】
薬剤撮影装置７は、載置部１１に載置された薬剤を撮影部７３で撮影し、撮影した画像データをサーバ２に送信する。サーバ２における処理は第１の実施形態と同じであるため説明は省略する。薬剤撮影装置７は、サーバ２から鑑別結果を受信する。
【００５９】
また、薬剤撮影装置７は、表示部７４を備えており、受信した鑑別結果を表示部７４に表示する。図２４Ａ及び図２４Ｂにおいては、薬剤撮影装置７の上面に表示部７４を備える例を示したが、薬剤撮影装置７にディスプレイポート（図示なし）を備え、外付けのディスプレイ（図示なし）に鑑別結果を表示する形態をとることができる。また、薬剤撮影装置７にＵＳＢ等のホストインタフェース（図示なし）を備え、外部コンピュータ（図示なし）と接続することも可能である。この場合には、外部コンピュータにより薬剤撮影装置７の操作が可能となり、また、外部コンピュータに接続されたディスプレイ（図示なし）に鑑別結果が表示できる。
【００６０】
以上、上述した実施の形態は本発明を実施するための例示に過ぎない。よって、本発明は、上述した実施の形態に限定されることなく、その趣旨を逸脱しない範囲内で上述した実施の形態を適宜変形して実施することが可能である。
【００６１】
例えば、第１の実施形態で説明した薬剤撮影装置１において、載置部１１、上方照明部１２、上方支持部１３、下方照明部１４、および下方支持部１５は、薬剤撮影補助装置を構成する。しかし、薬剤撮影補助装置は、下方照明部１４および下方支持部１５を有しない構成であっても良い。あるいは、薬剤撮影補助装置は、上方照明部１２および上方支持部１３を有しない構成であっても良い。また、薬剤撮影補助装置は、上方照明部１２および下方照明部１４を有しない構成であっても良い。
【００６２】
なお、本発明は、以下のように説明することもできる。
【００６３】
本発明の第１の側面に係る薬剤撮影補助装置（第１の構成）は、
薬剤が載置される載置部と、
前記載置部に載置された薬剤を撮影する撮影部を備えた携帯端末であって、撮影した画像データをサーバに送信する携帯端末を設置可能な第１支持部とを備える。
【００６４】
この第１の構成では、第１支持部に携帯端末を設置し、載置部に載置された薬剤を携帯端末の撮影部により撮影することができる。撮影した画像データは、サーバに送信される。サーバにおいて薬剤の鑑別処理を行うこととすれば、従来のように専用の薬剤鑑別装置を用いなくても、鑑別対象の薬剤の撮影を、この薬剤撮影補助装置を用いて簡易に行うことができる。携帯端末としては、撮影機能とサーバへの画像データの送信機能を備えた任意の携帯端末を利用することができる。また、この第１の構成の薬剤撮影補助装置による薬剤の画像データの取得は、有資格者でなくても実施可能であるため、薬剤師等の有資格者の作業負担が軽減できる。
【００６５】
前記第１の構成において、前記載置部と前記第１支持部との間に設置された第１照明部をさらに備えた構成（第２の構成）としてもよい。この第２の構成によれば、載置部に載置された薬剤を第１照明部で照明することにより、鮮明な画像データを得ることができる。
【００６６】
前記第１または第２の構成において、前記第１支持部に設置した前記携帯端末からの撮影方向とは異なる方向から前記載置部に載置された薬剤の撮影が可能となる位置に、前記携帯端末を設置可能な第２支持部をさらに備えた構成（第３の構成）としてもよい。この第３の構成によれば、複数の方向から薬剤の画像データを撮影することができるので、鑑別の精度を向上させることができる。
【００６７】
前記第３の構成において、前記載置部と前記第２支持部との間に設置された第２照明部をさらに備えた構成（第４の構成）としてもよい。この第４の構成によれば、載置部に載置された薬剤を第２照明部で照明することにより、鮮明な画像データを得ることができる。
【００６８】
前記第１〜第４のいずれかの構成において、前記載置部は、前記薬剤を収容するシャーレ部を備える構成（第５の構成）としてもよい。この第５の構成によれば、シャーレ部に薬剤を収容することで、薬剤が載置部上で移動することを抑制できる。この結果、より鮮明な画像データを得ることができる。
【００６９】
前記第５の構成において、前記シャーレ部の底面に凹凸形状の部材を備えた構成（第６の構成）としてもよい。この第６の構成によれば、シャーレ部内で薬剤が移動することを抑制できるので、より鮮明な画像データを得ることができる。
【００７０】
前記第５または第６の構成において、前記シャーレ部の蓋部であって、前記薬剤を前記シャーレ部の底面と当該蓋部との間で固定可能な蓋部をさらに備えた構成（第７の構成）としてもよい。この第７の構成によれば、シャーレ部の蓋部と底面との間で薬剤を固定することができるので、撮影時等に薬剤がシャーレ部内で動くことが抑制され、より鮮明な画像データを得ることができる。
【００７１】
本発明の第２の側面に係る薬剤撮影装置は、
薬剤が載置される載置部と、
前記載置部に載置された薬剤を撮影する撮影部と、
前記撮影部で撮影した画像データをサーバに送信する送信部と、を備える（第８の構成）。
【００７２】
この第８の構成によれば、鑑別対象の薬剤を載置部に載置し、撮影した画像データをサーバに送信することができる。サーバにおいて薬剤の鑑別処理を行うこととすれば、従来のように専用の薬剤鑑別装置を用いなくても、鑑別対象の薬剤の撮影は、この薬剤撮影装置を用いて簡易に行うことができる。また、この第８の構成の薬剤撮影装置による薬剤の画像データの取得は、有資格者でなくても実施可能であるため、薬剤師等の有資格者の作業負担が軽減できる。
【００７３】
前記第８の構成において、前記載置部と前記撮影部の間に設置された照明部をさらに備えた構成（第９の構成）としてもよい。この第９の構成によれば、載置部に載置された薬剤を照明部で照明することにより、鮮明な画像データを得ることができる。
【００７４】
前記第８または第９の構成において、前記サーバから、前記画像データ中の薬剤の鑑別結果を受信する受信部と、前記鑑別結果を表示する表示部とをさらに備えた構成（第１０の構成）としてもよい。この第１０の構成によれば、薬剤撮影装置において、鑑別結果を表示させて確認することができる。
【００７５】
本発明の第３の側面は、
薬剤撮影装置と、前記薬剤撮影装置と通信可能なサーバとを備え、
前記薬剤撮影装置は、薬剤を載置する載置部と、薬剤を撮影する撮影部と、前記撮影部で撮影された薬剤の画像データを前記サーバに送信する送信部と、を有し、
前記サーバは、薬剤の画像データと薬剤情報とを対応付けた対応データを格納する格納部と、前記対応データに基づいて前記携帯端末から送信された画像データ中の薬剤の鑑別処理を行う鑑別処理部と、を有する薬剤鑑別システムである。
【００７６】
この薬剤鑑別システムによれば、鑑別対象の薬剤を載置部に載置し、撮影した画像データをサーバに送信することができる。サーバにおいて薬剤の鑑別処理を行うので、従来のように専用の薬剤鑑別装置を用いなくても、鑑別対象の薬剤の撮影は、薬剤撮影装置を用いて簡易に行うことができる。また、薬剤撮影装置による薬剤の画像データの取得は、有資格者でなくても実施可能であるため、薬剤師等の有資格者の作業負担が軽減できる。
【００７７】
本発明の第４の側面は、
携帯端末の撮影部により、薬剤撮影装置の載置部に載置された薬剤を撮影し、
前記携帯端末が、撮影した薬剤の画像データをサーバに送信し、
前記サーバが、薬剤の画像データと薬剤情報とを対応付けた対応データに基づいて、前記携帯端末から送信された画像データ中の薬剤の鑑別処理を行う、薬剤鑑別方法である。
【００７８】
この薬剤鑑別方法によれば、薬剤撮影装置において、鑑別対象の薬剤を載置部に載置し、撮影した画像データをサーバに送信することができる。サーバにおいて薬剤の鑑別処理を行うので、従来のように専用の薬剤鑑別装置を用いなくても、鑑別対象の薬剤の撮影は、薬剤撮影装置を用いて簡易に行うことができる。また、薬剤撮影装置による薬剤の画像データの取得は、有資格者でなくても実施可能であるため、薬剤師等の有資格者の作業負担が軽減できる。
【００７９】
本発明の第５の側面は、
患者情報をサーバに入力する入力工程と、
薬剤撮影装置の載置部に載置された薬剤を撮影し、薬剤の画像データと薬剤情報とを対応付けた対応データに基づいて、前記撮影した画像データ中の薬剤の鑑別を行う一次鑑別工程と、
前記一次鑑別工程で鑑別された鑑別結果を前記サーバに登録する登録工程と、
前記サーバが薬剤鑑別に対する資格を有する有資格者を認証する認証工程と、
前記サーバが、前記サーバに入力された前記患者情報と、前記サーバに登録された前記鑑別結果とに基づいて、前記認証工程において認証された有資格者に前記鑑別結果を確認させ、前記鑑別結果の確認結果をサーバに登録させる二次鑑別工程と、
を備え、
前記入力工程、前記一次鑑別工程及び前記登録工程は、薬剤鑑別に対する資格を有さない者によって行われる薬剤鑑別方法である。
【００８０】
この薬剤鑑別方法によれば、薬剤鑑別に対する資格を有さない者が患者情報の入力、薬剤を撮影し、薬剤の一次鑑別及び一次鑑別結果の登録を行う。また、薬剤鑑別に対する資格を有する有資格者が、一次鑑別結果の確認（二次鑑別）を行う。よって、有資格者による作業負担が軽減される。また、二次鑑別は、サーバにより認証された有資格者のみが行えるため、二次鑑別結果の信頼性を高めることができる。
【符号の説明】
【００８１】
１…薬剤撮影装置、２…サーバ、３…ネットワーク、４…格納部、５…端末オペレータ、６…有資格者、７…薬剤撮影装置、１１…載置部、１２…上方照明部、１３…上方支持部、１４…下方照明部、１５…下方支持部、１６…携帯端末、１７…カメラ、１８…蓋部、１９…取手部、２０…溝部、２１…上方照明部、２１ａ…上方反射部、２２…下方照明部、２２ａ…下方反射部、２３…レール部、７３…撮影部、７４…表示部、１００…薬剤鑑別システム、１１１…トレイ部、１１２…シャーレ部、１１３…トレイ部、１１４…孔、１６１…制御部、１６２…メモリ、１６３…カメラＩ／Ｆ、１６４…ネットワークＩ／Ｆ、１６５…入力部、１６６…表示部、２００…鑑別ウィンドウ、３００…薬剤鑑別システム
【図１】
2020182525.tif 000003
【図２】
2020182525.tif 000004
【図３】
2020182525.tif 000005
【図４】
2020182525.tif 000006
【図５】
2020182525.tif 000007
【図６】
2020182525.tif 000008
【図７】
2020182525.tif 000009
【図８Ａ】
2020182525.tif 000010
【図８Ｂ】
2020182525.tif 000011
【図９Ａ】
2020182525.tif 000012
【図９Ｂ】
2020182525.tif 000013
【図９Ｃ】
2020182525.tif 000014
【図１０】
2020182525.tif 000015
【図１１Ａ】
2020182525.tif 000016
【図１１Ｂ】
2020182525.tif 000017
【図１２Ａ】
2020182525.tif 000018
【図１２Ｂ】
2020182525.tif 000019
【図１３】
2020182525.tif 000020
【図１４】
2020182525.tif 000021
【図１５】
2020182525.tif 000022
【図１６】
2020182525.tif 000023
【図１７】
2020182525.tif 000024
【図１８】
2020182525.tif 000025
【図１９】
2020182525.tif 000026
【図２０】
2020182525.tif 000027
【図２１】
2020182525.tif 000028
【図２２】
2020182525.tif 000029
【図２３】
2020182525.tif 000030
【図２４Ａ】
2020182525.tif 000031
【図２４Ｂ】
2020182525.tif 000032